(57)【要約】【課題】停電していないときには、商用電源による点灯と消灯との切り替えを、ユーザによる遠隔からの操作に応じて行うことができるとともに、停電したときには適切に点灯することができる照明装置を提供する。【解決手段】照明装置１００は、発光部１０１と、給電部１０２と、蓄電池１０３と、商用電源Ｐの停電を検知する停電検知部１０４と、停電が検知されていない場合には、商用電源Ｐからの電力に基づいて発光部１０１を点灯させ、停電が検知されている場合には、蓄電池１０３からの電力に基づいて発光部１０１を点灯させる点灯制御部１０５とを備え、点灯制御部１０５は、停電が検知されていない場合には、壁スイッチ２００による操作であって、オンの状態から、予め定められた期間内に、オフに切り替えてさらにオンに戻すワンツー操作によって、発光部１０１の状態を点灯から消灯に、または消灯から点灯に切り替える。【選択図】図２
2016219220.tif 000002
【特許請求の範囲】
【請求項１】
発光部と、
商用電源から供給される電力を受け付ける給電部と、
前記商用電源によって充電される電池と、
前記給電部に受け付けられる電力に基づいて、前記商用電源の停電を検知する停電検知部と、
前記停電検知部によって停電が検知されていない場合には、前記商用電源からの電力に基づいて前記発光部を点灯させ、前記停電検知部によって停電が検知されている場合には、前記電池からの電力に基づいて前記発光部を点灯させる点灯制御部とを備え、
前記点灯制御部は、
前記停電検知部によって停電が検知されていない場合には、
前記商用電源から前記給電部への電力供給をオンとオフとに切り替える壁スイッチによる操作であって、オンの状態から、予め定められた期間内に、オフに切り替えてさらにオンに戻すワンツー操作によって、前記発光部の状態を点灯から消灯に、または消灯から点灯に切り替える
照明装置。
【請求項２】
前記停電検知部は、
前記給電部に受け付けられている電力が途絶えてから、前記予め定められた期間経過したときに、前記商用電源の停電を検知する
請求項１に記載の照明装置。
【請求項３】
前記照明装置は、さらに、
人感センサを備え、
前記点灯制御部は、
前記人感センサによって人が検知されたときに、前記発光部を点灯させる
請求項１または２に記載の照明装置。
【請求項４】
前記点灯制御部は、
前記停電検知部によって停電が検知された場合には、前記電池からの電力に基づいて前記発光部を点灯させ、前記発光部の点灯後、前記人感センサによって人が検知されることなく所定時間が経過したか否かを判定し、経過したと判定したときには、前記発光部を消灯させる
請求項３に記載の照明装置。
【請求項５】
前記照明装置は、さらに、
煙を検知する煙センサを備え、
前記点灯制御部は、
前記煙センサによって煙が検知されたときに、前記発光部を点灯させる
請求項１〜４の何れか１項に記載の照明装置。
【請求項６】
前記照明装置は、さらに、
揺れを検知する振動センサを備え、
前記点灯制御部は、
前記振動センサによって揺れが検知されたときに、前記発光部を点灯させる
請求項１〜５の何れか１項に記載の照明装置。
【発明の詳細な説明】
【技術分野】
【０００１】
本発明は、照明装置に関する。
【背景技術】
【０００２】
従来、コンセントに接続されたときには外部電源によって点灯し、コンセントから外れたときには充電式電池によって点灯する照明装置（多機能照明具）が提案されている（特許文献１参照）。また、この照明装置は人検知センサを備えている。つまり、この照明装置は、コンセントに接続されている状態で、その人検知センサによって人が検知されたときに点灯するフットライトとして構成されている。さらに、この照明装置は、コンセントに接続されている状態で、外部電源の停電を感知したときには、充電式電池によって点灯する。
【先行技術文献】
【特許文献】
【０００３】
【特許文献１】特開２００３−１４１９１４号公報
【発明の概要】
【発明が解決しようとする課題】
【０００４】
しかしながら、上記特許文献１の照明装置では、外部電源による点灯と消灯との切り替えをユーザによる遠隔からの操作に応じて行うことができないという課題がある。外部電源である商用電源による点灯と消灯との切り替えを行うためには、一般的には壁スイッチが用いられる。つまり、壁スイッチの操作によって点灯と消灯との切り替えを行う照明装置として、上記特許文献１の照明装置を用いようとすると、この照明装置は、壁スイッチのオフによって停電を検知してしまう。したがって、上記特許文献１の照明装置では、壁スイッチがオフされても点灯してしまい、商用電源による点灯と消灯との切り替えを、ユーザによる遠隔からの操作に応じて行うことができない。
【０００５】
そこで、本発明は、停電していないときには、商用電源による点灯と消灯との切り替えを、ユーザによる遠隔からの操作に応じて行うことができるとともに、停電したときには適切に点灯することができる照明装置を提供することを目的とする。
【課題を解決するための手段】
【０００６】
上記目的を達成するために、本発明に係る照明装置の一態様は、発光部と、商用電源から供給される電力を受け付ける給電部と、前記商用電源によって充電される電池と、前記給電部に受け付けられる電力に基づいて、前記商用電源の停電を検知する停電検知部と、前記停電検知部によって停電が検知されていない場合には、前記商用電源からの電力に基づいて前記発光部を点灯させ、前記停電検知部によって停電が検知されている場合には、前記電池からの電力に基づいて前記発光部を点灯させる点灯制御部とを備え、前記点灯制御部は、前記停電検知部によって停電が検知されていない場合には、前記商用電源から前記給電部への電力供給をオンとオフとに切り替える壁スイッチによる操作であって、オンの状態から、予め定められた期間内に、オフに切り替えてさらにオンに戻すワンツー操作によって、前記発光部の状態を点灯から消灯に、または消灯から点灯に切り替える。
【発明の効果】
【０００７】
本発明によれば、停電していないときには、商用電源による点灯と消灯との切り替えを、ユーザによる遠隔からの操作に応じて行うことができるとともに、停電したときには適切に点灯することができる。
【図面の簡単な説明】
【０００８】
【図１】実施の形態における照明装置を含むシステムの構成を示す図である。
【図２】実施の形態における照明装置の構成を示すブロック図である。
【図３】実施の形態における商用電源、壁スイッチおよび発光部の状態変化の一例を示す図である。
【図４】実施の形態における点灯制御部の処理動作を示すフローチャートである。
【図５】実施の形態における照明装置の他の構成を示すブロック図である。
【図６】実施の形態における照明装置の他の構造を示す図である。
【図７】その他の実施の形態における照明装置の外観構成の一例を示す図である。
【図８Ａ】その他の実施の形態における照明装置の外観構成の他の例を示す図である。
【図８Ｂ】その他の実施の形態における照明装置の外観構成の他の例を示す図である。
【図８Ｃ】その他の実施の形態における照明装置の外観構成の他の例を示す図である。
【発明を実施するための形態】
【０００９】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
（実施の形態）
図１は、本実施の形態における照明装置を含むシステムの構成を示す図である。
【００１２】
このシステムは、少なくとも１つの照明装置１００と、それらの照明装置１００を点灯または消灯させるための壁スイッチ２００とを備える。
【００１３】
壁スイッチ２００は、外部電源である商用電源Ｐから各照明装置１００への電力供給をオンとオフとに切り替える。この壁スイッチ２００による電力供給の切り替えは、ユーザが壁スイッチ２００（具体的には、壁スイッチ２００のハンドル）を押下する操作によって行われる。
【００１４】
各照明装置１００は、壁スイッチ２００に対する後述のワンツー操作によって、商用電源Ｐから壁スイッチ２００を介して供給される電力に応じて点灯したり、消灯したりする。
【００１５】
図２は、本実施の形態における照明装置１００の構成を示すブロック図である。
【００１６】
照明装置１００は、発光部１０１、給電部１０２、蓄電池１０３、充放電部１０３ａ、停電検知部１０４、点灯制御部１０５、切替判定部１０６、人感センサ１０７、煙センサ１０８、および振動センサ１０９を備える。
【００１７】
発光部１０１は、例えば少なくとも１つのＬＥＤ（Ｌｉｇｈｔ  Ｅｍｉｔｔｉｎｇ  Ｄｉｏｄｅ）素子からなるＬＥＤモジュールであり、点灯制御部１０５を介して供給される電力に応じて点灯する。具体的には、ＬＥＤ素子は、例えば、表面実装（ＳＭＤ：Ｓｕｒｆａｃｅ  Ｍｏｕｎｔ  Ｄｅｖｉｃｅ）型ＬＥＤ素子で構成される。なお、ＬＥＤ素子は、ＳＭＤ型ＬＥＤ素子でなくてもよく、基体に実装されたＬＥＤチップであってもよい。また、発光部１０１は、有機ＥＬ（Ｅｌｅｃｔｒｏ  Ｌｕｍｉｎｅｓｃｅｎｃｅ）素子など他の固体発光素子で構成されていてもよい。
【００１８】
給電部１０２は、商用電源Ｐから供給される電力を受け付ける。
【００１９】
蓄電池１０３は、商用電源Ｐによって充電される二次電池である。例えば、蓄電池１０３はリチウムイオン二次電池またはニッケル水素充電池である。なお、蓄電池１０３は、これら以外の他の二次電池であってもよい。
【００２０】
充放電部１０３ａは、給電部１０２および点灯制御部１０５を介して商用電源Ｐから供給される電力によって蓄電池１０３を充電する。さらに、充放電部１０３ａは、充電された蓄電池１０３を放電させることによって、その蓄電池１０３からの電力を点灯制御部１０５、人感センサ１０７、煙センサ１０８、および振動センサ１０９に供給する。したがって、点灯制御部１０５、人感センサ１０７、煙センサ１０８、および振動センサ１０９は、商用電源Ｐが停電していても、蓄電池１０３からの電力に基づいて駆動することができる。
【００２１】
停電検知部１０４は、給電部１０２に受け付けられる電力に基づいて商用電源Ｐの停電を検知する。また、停電検知部１０４は、商用電源Ｐの停電を検知していないときには、通電信号を点灯制御部１０５に出力し、停電を検知すると、通電信号の点灯制御部１０５への出力を停止する。停電検知部１０４は、この通電信号によって、停電の有無を点灯制御部１０５に通知する。
【００２２】
切替判定部１０６は、給電部１０２に受け付けられる電力に基づいて、発光部１０１の状態を点灯と消灯とに切り替えるための操作が壁スイッチ２００に対して行われたか否かを判定する。この操作は、例えばワンツー操作である。このワンツー操作は、壁スイッチ２００のオンの状態から、予め定められた期間内に、オフに切り替えてさらにオンに戻す操作である。その予め定められた期間は例えば２秒である。以下、その期間を操作制限期間という。切替判定部１０６は、ワンツー操作が行われたと判定したときには、切替信号を点灯制御部１０５に出力する。
【００２３】
点灯制御部１０５は、停電検知部１０４によって停電が検知されていない場合には、商用電源Ｐからの電力に基づいて発光部１０１を点灯させる。つまり、点灯制御部１０５は、停電検知部１０４から通電信号を受けているときには、商用電源Ｐの電力で発光部１０１を点灯させる。一方、点灯制御部１０５は、停電検知部１０４によって停電が検知されている場合には、蓄電池１０３からの電力に基づいて発光部１０１を点灯させる。つまり、点灯制御部１０５は、停電検知部１０４から通電信号を受けていないときには、蓄電池１０３の電力で発光部１０１を点灯させる。なお、点灯制御部１０５は、商用電源Ｐからの電力に基づいて発光部１０１を点灯させるときには、商用電源Ｐからの電力を、発光部１０１の点灯に必要な電力に変換する。同様に、点灯制御部１０５は、蓄電池１０３からの電力に基づいて発光部１０１を点灯させるときには、蓄電池１０３から充放電部１０３ａを介して供給される電力を、発光部１０１の点灯に必要な電力に変換してもよい。
【００２４】
また、点灯制御部１０５は、停電検知部１０４によって停電が検知されていない場合には、壁スイッチ２００のワンツー操作によって、発光部１０１の状態を点灯から消灯に、または消灯から点灯に切り替える。つまり、点灯制御部１０５は、停電検知部１０４から通電信号を受けているときには、切替判定部１０６からの切替信号に応じて、発光部１０１の状態を切り替える。
【００２５】
人感センサ１０７は、所定の検知範囲における人を検知する。具体的には、人感センサ１０７は、例えば、パッシブ型のセンサであって、その検知範囲にいる人から放出される赤外線（温度変化）を検知する。すなわち、人感センサ１０７は、その検知範囲にある熱を放出する物体であれば人以外の物でも検知する。また、人感センサ１０７は、人を検知すると、人検知信号を点灯制御部１０５に出力する。なお、人感センサ１０７は、超音波または可視光などを用いて人を検知してもよい。
【００２６】
煙センサ１０８は、例えば、煙による空気の電離状態の変化に応じてその煙を検知するイオン化式のセンサ、または、煙による光の乱反射または遮光によってその煙を検知する光電式のセンサである。なお、煙センサ１０８は、これら以外の方式で煙を検知してもよい。煙センサ１０８は、煙を検知すると煙検知信号を点灯制御部１０５に出力する。
【００２７】
振動センサ１０９は、例えば静電容量式、渦電流方式、または圧電効果などによって、揺れを検知する。振動センサ１０９は、揺れを検知すると揺れ検知信号を点灯制御部１０５に出力する。
【００２８】
上述の人感センサ１０７、煙センサ１０８および振動センサ１０９は、それぞれ充放電部１０３ａを介して蓄電池１０３から供給される電力を用いて駆動する。つまり、これらのセンサ１０７〜１０９は、蓄電池１０３の電力に基づいて待機していて、検知対象が発生した時点で、その検知対象を検知する。点灯制御部１０５は、これらのセンサ１０７〜１０９からの信号を受けたときにも、その信号に応じて発光部１０１を点灯させたり消灯させたりする。
【００２９】
図３は、商用電源Ｐ、壁スイッチ２００および発光部１０１の状態変化の一例を示す図である。
【００３０】
例えば、商用電源Ｐが停電していない場合、つまり商用電源Ｐが通電の状態にある場合、発光部１０１は、壁スイッチ２００に対するワンツー操作によって、点灯したり消灯したりする。
【００３１】
具体的には、壁スイッチ２００が例えば時刻ｔ１に押下されることによって、壁スイッチ２００の状態がオンからオフに切り替えられる。このとき、商用電源Ｐから照明装置１００への電力供給はオフになる。その次に、壁スイッチ２００が時刻ｔ２に再び押下されることによって、壁スイッチ２００の状態がオフからオンに切り替えられる。このとき、商用電源Ｐから照明装置１００への電力供給はオンになる。
【００３２】
時刻ｔ１から時刻ｔ２までの時間は上述の操作制限期間内であって例えば２秒以下である。このような壁スイッチ２００に対する２回の押下による操作がワンツー操作である。
【００３３】
切替判定部１０６は、商用電源Ｐから給電部１０２を介して供給される電力に基づいて、時刻ｔ２に、このようなワンツー操作が行われたと判定する。このとき、切替判定部１０６は、切替信号を点灯制御部１０５に出力する。
【００３４】
点灯制御部１０５は、時刻ｔ１に壁スイッチ２００がオフになって、商用電源Ｐから照明装置１００への電力供給がオフになると、点灯していた発光部１０１を消灯させる。また、点灯制御部１０５は、時刻ｔ２に壁スイッチ２００がオンになって、商用電源Ｐから照明装置１００への電力供給がオンになっても、上述の切替信号を受けた場合には、発光部１０１を点灯させることなく消灯させておく。つまり、点灯制御部１０５は、時刻ｔ１〜ｔ２においてワンツー操作が行われると、発光部１０１の状態を点灯から消灯に切り替える。
【００３５】
同様に、壁スイッチ２００が例えば時刻ｔ３に押下されることによって、壁スイッチ２００の状態がオンからオフに切り替えられる。このとき、商用電源Ｐから照明装置１００への電力供給はオフになる。その次に、壁スイッチ２００が時刻ｔ４に再び押下されることによって、壁スイッチ２００の状態がオフからオンに切り替えられる。このとき、商用電源Ｐから照明装置１００への電力供給はオンになる。
【００３６】
時刻ｔ３から時刻ｔ４までの時間は上述の操作制限期間内であって例えば２秒以下である。したがって、このような壁スイッチ２００に対する２回の押下による操作も、ワンツー操作である。
【００３７】
切替判定部１０６は、商用電源Ｐから給電部１０２を介して供給される電力に基づいて、時刻ｔ４に、このようなワンツー操作が行われたと判定する。このとき、切替判定部１０６は、切替信号を点灯制御部１０５に出力する。
【００３８】
点灯制御部１０５は、時刻ｔ４に壁スイッチ２００がオンになって、商用電源Ｐから照明装置１００への電力供給がオンになっているときに、切替信号を受けると、消灯していた発光部１０１を点灯させる。つまり、点灯制御部１０５は、時刻ｔ３〜ｔ４においてワンツー操作が行われると、発光部１０１の状態を消灯から点灯に切り替える。
【００３９】
さらに、時刻ｔ５〜ｔ６におけるワンツー操作によって、点灯制御部１０５は、発光部１０１の状態を点灯から消灯に切り換える。
【００４０】
ここで、商用電源Ｐが時刻ｔ７に停電してから操作制限期間が経過する。このとき、停電検知部１０４は、時刻ｔ８に停電を検知して通電信号の点灯制御部１０５への出力を停止する。
【００４１】
つまり、停電検知部１０４は、ワンツー操作における壁スイッチ２００のオンからオフへの切り替えによっても、商用電源Ｐからの電力供給が途絶えたことを検知する。しかし、ワンツー操作では、壁スイッチ２００は、オンの状態から、操作制限期間内にオフに切り替えられてさらにオンに戻される。したがって、停電検知部１０４は、ワンツー操作の場合には、商用電源Ｐからの電力供給が途絶えても、操作制限期間内に電力供給が再開されるため、停電を検知しない。一方、停電検知部１０４は、時刻ｔ８のときのように、商用電源Ｐからの電力供給が途絶えて操作制限期間が経過しても電力供給が再開されない場合には、停電を検知して通電信号の点灯制御部１０５への出力を停止する。
【００４２】
点灯制御部１０５は、時刻ｔ８に、通電信号を受け取れなくなるため、蓄電池１０３から充放電部１０３ａを介して供給される電力に基づいて、発光部１０１を点灯させる。
【００４３】
このように本実施の形態では、ワンツー操作によって、照明装置１００の状態を点灯に切り替えたり、消灯に切り替えたりすることができる。つまり、照明装置１００の状態の切り替えに必要とされる操作をワンツー操作のみにすることができる。その結果、壁スイッチ２００を常時オンの状態にしておくことができる。これにより、停電検知部１０４は、壁スイッチ２００がオフにされることによって停電を検知してしまうという誤検知を抑えることができる。したがって、停電したときには、照明装置１００は適切に点灯することができる。
【００４４】
図４は、点灯制御部１０５の処理動作を示すフローチャートである。
【００４５】
点灯制御部１０５は、切替判定部１０６からの切替信号に応じて、ワンツー操作があったか否かを判定する（ステップＳ１０１）。ここで、点灯制御部１０５は、切替信号を受けた、つまり、ワンツー操作があったと判定すると（ステップＳ１０１のＹｅｓ）、発光部１０１の状態を点灯から消灯に、または消灯から点灯に切り替える（ステップＳ１０２）。この切り替えによって発光部１０１を点灯させるときには、点灯制御部１０５は、商用電源Ｐからの電力に基づいて発光部１０１を点灯させる。
【００４６】
次に、点灯制御部１０５は、停電検知部１０４からの通電信号に基づいて、停電が検知されたか否かを判定する（ステップＳ１０３）。ここで、点灯制御部１０５は、通電信号が途絶えた、つまり、停電が検知されたと判定すると（ステップＳ１０３のＹｅｓ）、蓄電池１０３からの電力に基づいて発光部１０１を点灯させる（ステップＳ１０４）。
【００４７】
そして、点灯制御部１０５は、ステップＳ１０４で発光部１０１を点灯させてから、人感センサ１０７によって人が検知されることなく所定時間が経過したか否かを判定する（ステップＳ１０５）。このような判定は、人感センサ１０７からの人検知信号に基づいて行われる。
【００４８】
ここで、点灯制御部１０５は、その所定時間が経過したと判定すると（ステップＳ１０５のＹｅｓ）、発光部１０１を消灯させる（ステップＳ１０６）。さらに、点灯制御部１０５は、人感センサ１０７からの人検知信号に応じて、人が検知されたか否かを判定する（ステップＳ１０７）。ここで、点灯制御部１０５は、人検知信号を受けた、つまり、人が検知されたと判定すると（ステップＳ１０７のＹｅｓ）、ステップＳ１０４からの処理を繰り返し実行する。
【００４９】
一方、点灯制御部１０５は、人検知信号を受けていない、つまり、人が検知されていないと判定すると（ステップＳ１０７のＮｏ）、商用電源Ｐの停電が復旧したか否かを判定する（ステップＳ１０８）。つまり、点灯制御部１０５は、停電検知部１０４からの通電信号に基づいて、商用電源Ｐが通電の状態になっているか否かを判定する（ステップＳ１０８）。ここで、点灯制御部１０５は、停電が復旧したと判定すると（ステップＳ１０８のＹｅｓ）、ステップＳ１０１からの処理を繰り返し実行する。一方、点灯制御部１０５は、停電が復旧していないと判定すると（ステップＳ１０８のＮｏ）、ステップＳ１０７からの処理を繰り返し実行する。
【００５０】
また、ステップＳ１０３において、停電が検知されていないと判定すると（ステップＳ１０３のＮｏ）、点灯制御部１０５は、発光部１０１を消灯させているか否かを判定する（ステップＳ１０９）。ここで、点灯制御部１０５は、発光部１０１を点灯させていると判定すると（ステップＳ１０９のＮｏ）、ステップＳ１０１からの処理を繰り返し実行する。一方、点灯制御部１０５は、消灯させていると判定すると（ステップＳ１０９のＹｅｓ）、さらに、人感センサ１０７からの人検知信号に基づいて、人が検知されたか否かを判定する（ステップＳ１１０）。
【００５１】
ここで、点灯制御部１０５は、人が検知されていないと判定すると（ステップＳ１１０のＮｏ）、煙センサ１０８からの煙検知信号に基づいて、煙が検知されたか否かを判定する（ステップＳ１１１）。さらに、点灯制御部１０５は、煙が検知されていないと判定すると（ステップＳ１１１のＮｏ）、振動センサ１０９からの揺れ検知信号に基づいて、揺れが検知されたか否かを判定する（ステップＳ１１２）。ここで、点灯制御部１０５は、揺れが検知されていないと判定すると（ステップＳ１１２のＮｏ）、ステップＳ１０１からの処理を繰り返し実行する。
【００５２】
また、点灯制御部１０５は、ステップＳ１１０、Ｓ１１１またはＳ１１２において、検知されたと判定すると（ステップＳ１１０、Ｓ１１１またはＳ１１２のＹｅｓ）、商用電源Ｐからの電力に基づいて発光部１０１を点灯させる（ステップＳ１１３）。さらに、点灯制御部１０５は、人検知信号、煙検知信号および揺れ検知信号に基づいて、人、煙および揺れの何れも検知されることなく所定時間が経過したか否かを判定する（ステップＳ１１４）。ここで、点灯制御部１０５は、所定時間が経過したと判定すると（ステップＳ１１４のＹｅｓ）、発光部１０１を消灯させる（ステップＳ１１５）。そして、点灯制御部１０５は、ステップＳ１０１からの処理を繰り返し実行する。
【００５３】
なお、本実施の形態では、照明装置１００は、センサとして、人感センサ１０７、煙センサ１０８および振動センサ１０９を備えていたが、照度センサを備えていてもよい。
【００５４】
図５は、本実施の形態における照明装置１００の他の構成を示すブロック図である。
【００５５】
照明装置１００は、図５に示すように、さらに、照度センサ１１０を備える。この照度センサ１１０は、例えばフォトトランジスタまたはフォトダイオードなどを有し、照明装置１００の周囲の明るさを検知する。そして、照度センサ１１０は、検知された明るさを示す照度信号を点灯制御部１０５に出力する。このような照度センサ１１０は、充放電部１０３ａを介して蓄電池１０３から供給される電力を用いて駆動する。
【００５６】
点灯制御部１０５は、照度センサ１１０から出力される照度信号を取得し、その照度信号によって示される明るさに応じて発光部１０１の状態を切り替える。つまり、点灯制御部１０５は、停電検知部１０４によって停電が検知されている場合には、その照度信号によって示される明るさが閾値以下のときに、蓄電池１０３からの電力に基づいて発光部１０１を点灯させる。一方、点灯制御部１０５は、停電検知部１０４によって停電が検知されている場合であっても、この照度信号によって示される明るさが閾値を超えるときには、発光部１０１を点灯させない。これにより、蓄電池１０３の消費電力を抑えることができる。
【００５７】
（まとめ）
以上のように、本実施の形態における照明装置１００は、発光部１０１と、給電部１０２と、蓄電池１０３と、停電検知部１０４と、点灯制御部１０５とを備える。給電部１０２は、商用電源Ｐから供給される電力を受け付ける。蓄電池１０３は、商用電源Ｐによって充電される。停電検知部１０４は、給電部１０２に受け付けられる電力に基づいて、商用電源Ｐの停電を検知する。点灯制御部１０５は、停電検知部１０４によって停電が検知されていない場合には、商用電源Ｐからの電力に基づいて発光部１０１を点灯させる。また、点灯制御部１０５は、停電検知部１０４によって停電が検知されている場合には、蓄電池１０３からの電力に基づいて発光部１０１を点灯させる。ここで、点灯制御部１０５は、停電検知部１０４によって停電が検知されていない場合には、ワンツー操作によって、発光部１０１の状態を点灯から消灯に、または消灯から点灯に切り替える。このワンツー操作は、商用電源Ｐから給電部１０２への電力供給をオンとオフとに切り替える壁スイッチ２００による操作であって、オンの状態から、予め定められた期間（操作制限期間）内に、オフに切り替えてさらにオンに戻す操作である。
【００５８】
これにより、停電していないときには、壁スイッチ２００のワンツー操作によって発光部１０１の状態が点灯から消灯に、または消灯から点灯に切り換えられる。したがって、発光部１０１が点灯しているときにも消灯しているときにも、壁スイッチ２００をオンにしておくことができる。言い換えれば、壁スイッチ２００を常時オンにしておくことができる。その結果、停電検知部１０４は、商用電源Ｐの停電を適切に検知することができる。つまり、壁スイッチ２００がオフにされることによって停電を検知してしまうという誤検知を抑えることができる。したがって、停電したときには、適切に点灯することができる。さらに、停電していないときには、商用電源Ｐによる点灯と消灯との切り替えを、ユーザによる壁スイッチ２００に対するワンツー操作に応じて、つまり、ユーザによる遠隔からの操作に応じて、行うことができる。
【００５９】
したがって、本実施の形態における照明装置１００は、例えば屋内の天井に設置されるランプとして用いることができるとともに、防災時に周囲の状況を人に分かりやすくするためにその周囲を照らし出す防災用のランプとして用いることができる。
【００６０】
また、本実施の形態では、停電検知部１０４は、給電部１０２に受け付けられている電力が途絶えてから、上述の操作制限期間が経過したときに、商用電源Ｐの停電を検知する。
【００６１】
これにより、停電をより適切に検知することができる。
【００６２】
また、本実施の形態では、照明装置１００は、さらに、人感センサ１０７を備える。そして、点灯制御部１０５は、人感センサ１０７によって人が検知されたときに、発光部１０１を点灯させる。これにより、人がいないときにも点灯して、蓄電池１０３の電力を消費してしまうことを抑えることができる。
【００６３】
また、本実施の形態では、点灯制御部１０５は、停電検知部１０４によって停電が検知された場合には、蓄電池１０３からの電力に基づいて発光部１０１を点灯させる。そして、点灯制御部１０５は、発光部１０１の点灯後、人感センサ１０７によって人が検知されることなく所定時間が経過したか否かを判定する。そして、点灯制御部１０５は、その所定時間が経過したと判定したときには、発光部１０１を消灯させる。
【００６４】
これにより、停電が検知されたときには、周囲が明るくなるため、その周囲の状況を、その周囲から離れた人に知らせることができる。さらに、人が検知されることなく所定時間が経過したときには発光部１０１は消灯するため、蓄電池１０３の電力の消費を抑えることができる。
【００６５】
また、本実施の形態では、照明装置１００は、さらに、煙を検知する煙センサ１０８を備える。そして、点灯制御部１０５は、煙センサ１０８によって煙が検知されたときに、発光部１０１を点灯させる。
【００６６】
これにより、停電していないときにも、例えば火災によって煙が発生している周囲が自動的に照らし出されるため、その周囲の状況を人に容易に認識させることができ、危険の回避に役立たせることができる。
【００６７】
また、本実施の形態では、照明装置１００は、さらに、揺れを検知する振動センサ１０９を備える。そして、点灯制御部１０５は、振動センサ１０９によって揺れが感知されたときに、発光部１０１を点灯させる。
【００６８】
これにより、停電していないときにも、例えば地震によって揺れが発生している周囲が自動的に照らし出されるため、その周囲の状況を人に容易に認識させることができ、危険の回避に役立たせることができる。
【００６９】
なお、本実施の形態では、照明装置１００は、蓄電池１０３を備えていたが、蓄電池１０３のような二次電池ではなく、交換可能な一次電池を備えていてもよい。
【００７０】
図６は、本実施の形態における照明装置１００の他の構造を示す図である。
【００７１】
照明装置１１０は、図６に示すように、蓄電池１０３の代わりに、交換可能な一次電池である電池１１３を備える。このような電池１１３は、照明装置１１０の凹状に形成された収納部１１２に収納され、その収納部１１２の開口は、蓋１１１によって閉じられる。照明装置１１０は、電池１１３が収納部１１２に収納された状態で使用される。また、電池１１３を交換するときには、まず、蓋１１１を照明装置１１０の筺体から外す。そして、収納部１１２から電池１１３を取り出す。次に、新たな電池１１３を収納部１１２に収納し、蓋１１１によって収納部１１２の開口が塞がるように、その蓋１１１を照明装置１１０の筺体に取り付ける。このような電池１１３を備えた照明装置１００であっても、上記実施の形態と同様の効果を奏することができる。
【００７２】
（その他の実施の形態）
上記実施の形態における照明装置１００は、防災用のランプとして用いることができる。そこで、防災時に、より便利に用いられるように、照明装置１００は、ランタンまたは懐中電灯としても用いられるように構成されていてもよい。
【００７３】
図７は、照明装置の外観構成の一例を示す図である。
【００７４】
照明装置１００ｎは、上述の照明装置１００の機能構成を備えるとともに、グローブ１８３、筺体１８１、給電部１０２、および複数の突起１８２とを備えた電球形ＬＥＤランプとして構成されている。
【００７５】
筺体１８１は、略筒状に形成され、上述の蓄電池１０３、充放電部１０３ａ、停電検知部１０４、点灯制御部１０５、切替判定部１０６、人感センサ１０７、煙センサ１０８および振動センサ１０９を囲う。
【００７６】
グローブ１８３は、開口部を有する中空の略半球状に形成された、上述の発光部１０１を覆う透光性カバーである。このグローブ１８３は、グローブ１８３の開口部と筺体１８１の開口部とが当接するように、筺体１８１に取り付けられている。発光部１０１から放出される光は、このグローブ１８３を介して照明装置１００ｎの外部に放たれる。
【００７７】
給電部１０２は、口金として構成され、筺体１８１のグローブ１８３と反対側の開口部から露出するように、その筺体１８１に取り付けられている。
【００７８】
複数の突起１８２はそれぞれ略棒状に形成されている。これらの突起１８２の一端（基端）は、筺体１８１に回動自在に取り付けられている。
【００７９】
以上のように照明装置１００ｎが構成されているため、通常時、つまり、壁スイッチ２００の操作に応じて照明装置１００ｎを点灯または消灯させるときには、照明装置１００ｎは、給電部１０２がソケットに嵌め込まれて使用される。また、停電時などの防災時には、照明装置１００ｎをソケットから取り外して、ランタンとして使用することができる。
【００８０】
つまり、通常時には、複数の突起１８２のそれぞれの基端と反対側の端（先端）をグローブ１８３側に寄せ、複数の突起１８２のそれぞれを筺体１８１の側面に沿わせる。これにより、複数の突起１８２に邪魔されることなく照明装置１００ｎをソケットに取り付けることができる。
【００８１】
一方、防災時には、照明装置１００ｎをソケットから取り外し、複数の突起１８２のそれぞれの先端を給電部１０２側に寄せる。そして、それらの突起１８２の先端を例えばテーブル、床、または地面などに当接させれば、グローブ１８３を上に向けた状態で照明装置１００ｎを安定して立てることができる。照明装置１００ｎは、蓄電池１０３からの電力によっても点灯するため、床などに立てられた状態で点灯することができる。したがって、照明装置１００ｎをランタンとして使用することができる。
【００８２】
図８Ａ〜図８Ｃは、照明装置の外観構成の他の例を示す図である。
【００８３】
照明装置１００ｍは、上述の照明装置１００ｎと同様に、照明装置１００としての機能構成を備えるとともに、グローブ１８３、筺体１８１、給電部１０２、および引掛け部１８４を備えた電球形ＬＥＤランプとして構成されている。
【００８４】
また、照明装置１００ｍにおける筺体１８１は、図８Ａおよび図８Ｂに示すように、第１の筺体１８１ａと、第２の筺体１８１ｂと、第３の筺体１８１ｃとからなり、伸縮自在に構成されている。
【００８５】
第１の筺体１８１ａは、略筒状に形成され、上述の蓄電池１０３、充放電部１０３ａ、停電検知部１０４、点灯制御部１０５、切替判定部１０６、人感センサ１０７、煙センサ１０８および振動センサ１０９を囲う。グローブ１８３は、グローブ１８３の開口部と第１の筺体１８１ａの開口部とが当接するように、第１の筺体１８１ａに取り付けられている。
【００８６】
第２の筺体１８１ｂおよび第３の筺体１８１ｃも、それぞれ略筒状に形成されている。第２の筺体１８１ｂの一方の開口部には、第３の筺体１８１ｃの一方の開口部が接続されている。第２の筺体１８１ｂの他方の開口部には、給電部１０２が露出するように取り付けられている。
【００８７】
このような第２の筺体１８１ｂは、図８Ａに示すように、第３の筺体１８１ｃが第１の筺体１８１ａの内部に挿入されて、第２の筺体１８１ｂの開口部が、第１の筺体１８１ａの開口部に当接するように、第１の筺体１８１ａに取り付けられる。
【００８８】
また、第２の筺体１８１ｂは、第１の筺体１８１ａに対して移動可能なように取り付けられている。つまり、第２の筺体１８１ｂは、図８Ｂに示すように、第１の筺体１８１ａから引き離し可能であって、引き離されたときには、第３の筺体１８１ｃが、露出した状態で、第１の筺体１８１ａと第２の筺体１８１ｂとをつなぐ。このように、筺体１８１は伸縮自在に構成されている。
【００８９】
また、引掛け部１８４は、略円弧状に形成され、その両端が第２の筺体１８１ｂに回動自在に取り付けられている。
【００９０】
以上のように照明装置１００ｍが構成されているため、通常時、つまり、壁スイッチ２００の操作に応じて照明装置１００ｍを点灯または消灯させるときには、照明装置１００ｍは、給電部１０２がソケットに嵌め込まれて使用される。また、停電時などの防災時には、照明装置１００ｍをソケットから取り外して、懐中電灯またはランタンとして使用することができる。
【００９１】
つまり、通常時には、筺体１８１を縮めた状態で引掛け部１８４をグローブ１８３側に寄せる。これにより、引掛け部１８４に邪魔されることなく照明装置１００ｍをソケットに取り付けることができる。
【００９２】
一方、防災時には、図８Ｂに示すように、照明装置１００ｍをソケットから取り外し、第２の筺体１８１ｂおよび第３の筺体１８１ｃを引き出して筺体１８１を延ばす。これにより、筺体１８１が握りやすくなるため、照明装置１００ｍを懐中電灯として用いることができる。または、図８Ｃに示すように、照明装置１００ｍをソケットから取り外し、引掛け部１８４を給電部１０２側に寄せる。これにより、引掛け部１８４を例えばフックなどに引掛けて照明装置１００ｍを吊るすことができ、照明装置１００ｍをランタンとして使用することができる。
【００９３】
以上、本発明の照明装置について、実施の形態に基づいて説明したが、本発明は、実施の形態に限定されるものではない。本発明の主旨を逸脱しない限り、当業者が思いつく各種変形を本実施の形態に施したものや、実施の形態及び変形例における一部の構成要素を任意に組み合わせて構築される別の形態も、本発明の範囲内に含まれる。
【００９４】
例えば、上記実施の形態では、照明装置１００は電球型のランプとして構成されていたが、電球型と異なるタイプの照明装置であってもよい。また、上記実施の形態では、操作制限期間は２秒であったが、２秒よりも短くても長くてもよい。また、上記実施の形態における壁スイッチ２００には、常閉型（ｂ接点）の押釦スイッチを用いてもよい。この場合には、壁スイッチ２００への１回の押し操作で、オンの状態から、操作制限期間内に、オフに切り替えてさらにオンに戻すワンツー操作を行うことができる。
【００９５】
なお、上述の点灯制御部１０５、充放電部１０３ａ、停電検知部１０４、受信部１０６、操作部３０１、および送信制御部３０２は、それぞれ電子回路によって構成されている。
【符号の説明】
【００９６】
１００    照明装置
１０１    発光部
１０２    給電部
１０３    蓄電池
１０４    停電検知部
１０５    点灯制御部
１０７    人感センサ
１０８    煙センサ
１０９    振動センサ
２００    壁スイッチ
Ｐ        商用電源
【図１】
2016219220.tif 000003
【図２】
2016219220.tif 000004
【図３】
2016219220.tif 000005
【図４】
2016219220.tif 000006
【図５】
2016219220.tif 000007
【図６】
2016219220.tif 000008
【図７】
2016219220.tif 000009
【図８Ａ】
2016219220.tif 000010
【図８Ｂ】
2016219220.tif 000011
【図８Ｃ】
2016219220.tif 000012